(57)【要約】【課題】  伝統工芸と最新技術を融合でき、且つ意匠性に優れた情報コード付き陶磁器を提供する。【解決手段】  本考案の情報コード付き陶磁器1は、表面に図柄20が複数配置されることで模様を成しており、当該複数の図柄のうち少なくとも一つが情報コード30に置き換えられていることを特徴とする。仮に情報コードを単独で陶磁器の表面に付した場合には情報コードが周囲の模様と馴染まず、ユーザーに違和感を与えてしまうおそれがある。しかし、本考案のように複数の図柄の一部を情報コードに置き換えることにすれば、情報コードが模様の中に紛れ込んで馴染むため、ユーザーは一見して情報コードに気づかず模様全体を違和感なく鑑賞できる。【選択図】図１
0003221604.tif 000002
【実用新案登録請求の範囲】
【請求項１】
表面に図柄が複数配置されることで模様を成しており、当該複数の図柄のうち少なくとも一つが情報コードに置き換えられていることを特徴とする情報コード付き陶磁器。
【請求項２】
前記図柄及び前記情報コードが矩形であることを特徴とする請求項1に記載の情報コード付き陶磁器。
【請求項３】
前記情報コードがＱＲコード（登録商標）であることを特徴とする請求項1又は2に記載の情報コード付き陶磁器。
【請求項４】
前記情報コードの一部に写真が配置されていることを特徴とする請求項1〜3のいずれか一項に記載の情報コード付き陶磁器。
【考案の詳細な説明】
【技術分野】
【０００１】
本考案は伝統工芸と最新技術を融合でき、且つ意匠性に優れた情報コード付き陶磁器に関する。
【背景技術】
【０００２】
情報コードは商品の販売管理等に広く利用されている。本明細書ではバーコード等の一次元コードや、QRコード（登録商標）、マキシコード、データマトリックスコード等の二次元コードをまとめて「情報コード」と表記する。
情報コードは商品のタグ等に付されるだけでなく、商品自体に直接付されることもある。例えば特許文献1にはマットの表面に情報コードを付した技術が開示されている。また、特許文献2にはタイルの表面に情報コードを付した技術が開示されている。
【先行技術文献】
【特許文献】
【０００３】
【特許文献１】実用新案登録第3196953号公報
【特許文献２】国際公開第WO2005/121048号公報
【考案の概要】
【考案が解決しようとする課題】
【０００４】
近年、陶磁器等の伝統工芸と現代の最新技術とを融合させた新製品が求められているが、上述したような商品自体に情報コードを直接付す場合、情報コードが目立つために意匠性の悪化を招くという問題がある。
【０００５】
本考案は上記問題に鑑み、伝統工芸と最新技術を融合でき、且つ意匠性に優れた情報コード付き陶磁器を提供することを課題とする。
【課題を解決するための手段】
【０００６】
本考案の情報コード付き陶磁器は、表面に図柄が複数配置されることで模様を成しており、当該複数の図柄のうち少なくとも一つが情報コードに置き換えられていることを特徴とする。
また、前記図柄及び前記情報コードが矩形であることを特徴とする。
また、前記情報コードがＱＲコード（登録商標）であることを特徴とする。
また、前記情報コードの一部に写真が配置されていることを特徴とする。
【考案の効果】
【０００７】
本考案では図柄を複数配置することで陶磁器の表面に模様を施す。そして、複数の図柄のうちの少なくとも一つを情報コードに置き換える。仮に情報コードを単独で陶磁器の表面に付した場合には情報コードが周囲の模様と馴染まず、ユーザーに違和感を与えてしまうおそれがある。しかし、本考案のように複数の図柄の一部を情報コードに置き換えることにすれば、情報コードが模様の中に紛れ込んで馴染むため、ユーザーは一見して情報コードに気づかず模様全体を違和感なく鑑賞できる。このように本考案の情報コード付き陶磁器は伝統工芸と最新技術を融合し、且つ意匠性に優れるという効果を得られる。
【０００８】
図柄及び情報コードを矩形（例えば正方形）にすれば、矩形の図柄を複数配置することで隙間が少ない模様を得られ、その一部が情報コードに置き換わるので更に意匠性を高めることができる。
情報コードとしてＱＲコード（登録商標）を用いることにすれば、ＱＲコード（登録商標）はほぼ正方形なので、正方形の図柄と合わせることで更に意匠性を高めることができる。
情報コードの一部に写真を配置し、この写真に関連した情報を情報コードに格納することにすれば、本考案の情報コード付き陶磁器を贈答用等の幅広い用途に使用できる。
【図面の簡単な説明】
【０００９】
【図１】情報コード付き陶磁器としての蓋付きの小箱を斜め上方から撮影した写真(a)及びその概略図(b)
【図２】蓋を開けた状態の情報コード付き陶磁器を斜め上方から撮影した写真(a)及びその概略図(b)
【図３】情報コード付き陶磁器としてのプレートを上方から撮影した写真(a)及びその概略図(b)
【考案を実施するための形態】
【００１０】
本考案の情報コード付き陶磁器の実施の形態について説明する。
図1及び図2に示すように本実施の形態の情報コード付き陶磁器1はその本体が蓋10を備える小箱11である。小箱（本体）11の表面に図柄20を複数配置することで模様を描いており、複数の図柄20の少なくとも一つを情報コード30に置き換えている。なお、理解を容易にするために図1(b)及び図2(b)では図柄20を詳細には描かずに主に情報コード30を描いている。複数の図柄20の二つ以上を情報コード30に置き換えてもよい。
陶磁器とは「陶土や良質の粘土を主原料とし、これに長石や石英をまぜて焼いて造ったものであり、土器、陶器、せっ器、磁器の四種に分けられる」（広辞苑）。本発明の情報コード付き陶磁器1としては図3に示すプレート40以外にも例えば皿、碗、壷、瓶、鉢等の一般的な陶磁器製品全てが含まれ、日用品に限らず美術品も含まれる。図3(b)も同様に図柄20を詳細には描かずに主に情報コード30を描いている。
【００１１】
図柄20は特に限定されるものではないが、例えば神社仏閣、参道などに用いられる石畳を正方形の内部に描いたものが挙げられる。この図柄20を一定の規則性を持って配置した模様は石畳文として知られており、九谷焼の代表的な模様として用いられることが多い。図柄20の外形は正方形、長方形等の矩形に限らず、多角形、円形、楕円形等であってもよい。このような図柄20を本体11の表面に描くことで模様を形成している。
図柄20を本体11の表面に描く方法としては一般的な例えば転写紙を用いる方法や、手書きの染付けや上絵付けにより行う方法が挙げられる。
【００１２】
図1〜図3では情報コード30としてＱＲコード（登録商標）を用いている。一般的に情報コード30は多数の線、数字、セル（ドット）等をルールに則り配置したものであり、審美性に優れるものではない。したがって、情報コード30が本体11の表面に付されている場合、周囲の模様と馴染まず、ユーザーに違和感を与えてしまう問題がある。しかし、本考案のように模様を複数の図柄20で形成して、図柄20の一部を情報コード30に置き換えることにすれば、情報コード30が模様の中に紛れ込んで馴染むため、ユーザーは一見して情報コード30に気づかず模様全体を違和感なく鑑賞できる。
【００１３】
図3に示すように情報コード30の一部に写真50を配置してもよい。写真50として例えば子供の写真にすれば出産や七五三のお祝いとして、結婚式の写真にすれば引き出物として本考案の情報コード付き陶磁器1を利用できる。写真50以外に氏名や社章等を配置してもよい。
ユーザーがスマートフォンやタブレット端末等の情報端末装置を使用して情報コード30を読み取ったあとの仕組みについては特に限定されないが、例えば情報コード30を読み取ることでサーバーに接続され、サーバーにアップロードしてある多数の子供の写真や結婚式の写真等を情報端末装置の表示画面で見ることにしてもよい。
【産業上の利用可能性】
【００１４】
本考案は、伝統工芸と最新技術を融合でき、且つ意匠性に優れた情報コード付き陶磁器に関するものであり、産業上の利用可能性を有する。
【符号の説明】
【００１５】
1 情報コード付き陶磁器
10 蓋
11 本体（小箱）
20 図柄
30 情報コード
40 プレート
50 写真
【図１】
0003221604.tif 000003
【図２】
0003221604.tif 000004
【図３】
0003221604.tif 000005